(57)【要約】【課題】複数の断裁用巻取紙を重ねた状態で断裁する断裁装置により加工される紙束の厚さが均等になるように、複数の断裁用巻取紙の組合せを決定できる断裁用巻取紙制御装置を提供する。【解決手段】断裁用巻取紙制御装置３０は、ワインダ実績管理部３２、断裁用巻取紙組合せ部３３を備える。ワインダ実績管理部３２は、ワインダ設備により前記複数の断裁用巻取紙を発生させる際に、各断裁用巻取紙の巻長前半部の紙厚測定値および巻長後半部の紙厚測定値と、各断裁用巻取紙の識別子とを紐付けたデータ群を記録する。断裁用巻取紙組合せ部３３は、データ群から、巻長前半部よりも巻長後半部の紙厚測定値が大きい断裁用巻取紙と、巻長前半部よりも巻長後半部の紙厚測定値が小さい断裁用巻取紙との組合せを、断裁装置にセットする断裁用巻取紙の組合せとして決定する。【選択図】図３
2018030669.tif 000002
【特許請求の範囲】
【請求項１】
複数の断裁用巻取紙を巻き戻しつつ重ねた状態で断裁する断裁装置にセットされる前記複数の断裁用巻取紙の組合せを決定する断裁用巻取紙制御装置であって、
ワインダ設備により前記複数の断裁用巻取紙を発生させる際に、各断裁用巻取紙の巻長前半部の紙厚測定値および巻長後半部の紙厚測定値と、各断裁用巻取紙の識別子とを紐付けたデータ群を記録するワインダ実績管理部と、
前記データ群から、巻長前半部よりも巻長後半部の紙厚測定値が大きい断裁用巻取紙と、巻長前半部よりも巻長後半部の紙厚測定値が小さい断裁用巻取紙との組合せを、前記断裁装置にセットする断裁用巻取紙の組合せとして決定する断裁用巻取紙組合せ部と、
を備えることを特徴とする断裁用巻取紙制御装置。
【請求項２】
前記断裁用巻取紙組合せ部は、巻長前半部よりも巻長後半部の紙厚測定値が大きい場合に単調増加、巻長前半部よりも巻長後半部の紙厚測定値が小さい場合に単調減少とする場合に、前記データ群を複数のグループ、
Ａ：単調増加かつ、紙厚測定値の最小値＞紙厚設定値＋α（αは許容誤差、α＞０）、
Ｂ：単調減少かつ、紙厚測定値の最小値＞紙厚設定値＋α、
Ｃ：単調増加かつ、紙厚測定値の最大値＜紙厚設定値−α、
Ｄ：単調減少かつ、紙厚測定値の最大値＜紙厚設定値−α、
Ｅ：前記Ａ、Ｂ、Ｃ、Ｄ以外、
に分類し、各グループの断裁用巻取紙を１本ずつ選択して、前記断裁装置にセットする断裁用巻取紙の組合せを決定すること、
を特徴とする請求項１に記載の断裁用巻取紙制御装置。
【請求項３】
前記断裁用巻取紙組合せ部は、
（ａ）前記ＡとＤの組合せに関して、巻長前半部の紙厚測定値の合計値および巻長後半部の紙厚測定値の合計値の両方が紙厚設定値×２±β（βは許容誤差）以内、
（ｂ）前記ＢとＣの組合せに関して、巻長前半部の紙厚測定値の合計値および巻長後半部の紙厚測定値の合計値の両方が紙厚設定値×２±β以内、かつ、
（ｃ）前記Ａ〜Ｅの組合せに関して、巻長前半部の紙厚測定値の合計値および巻長後半部の紙厚測定値の合計値の両方が紙厚設定値×５±γ（γは許容誤差）以内、
となる組合せを、前記断裁装置にセットする断裁用巻取紙の組合せとして決定すること、
を特徴とする請求項２に記載の断裁用巻取紙制御装置。
【請求項４】
前記断裁用巻取紙組合せ部は、巻長前半部よりも巻長後半部の紙厚測定値が大きい場合に単調増加、巻長前半部よりも巻長後半部の紙厚測定値が小さい場合に単調減少とする場合に、前記データ群を複数のグループ、
Ｆ）単調減少かつ、紙厚測定値の最大値＞紙厚設定値＋α（αは許容誤差、α＞０）かつ、紙厚測定値の最小値＜紙厚測定値−α、
Ｇ）単調増加かつ、紙厚測定値の最大値＞紙厚設定値＋αかつ、紙厚測定値の最小値＜紙厚測定値−α
Ｈ）前記Ｆ、Ｇ以外、
に分類し、各グループの断裁用巻取紙を１本ずつ選択して、前記断裁装置にセットする断裁用巻取紙の組合せを決定すること、
を備えることを特徴とする請求項１に記載の断裁用巻取紙制御装置。
【発明の詳細な説明】
【技術分野】
【０００１】
この発明は、断裁用巻取紙制御装置に関する。
【背景技術】
【０００２】
平判紙を製造する製紙工場は、抄紙設備、ワインダ設備、断裁設備を備える。抄紙設備は、ワイヤパート、プレスパート、ドライヤパート、カレンダパート等を経て、連続的に抄いた紙をリールに巻き取ってリール巻取紙に加工する。ワインダ設備は、リール巻取紙をアンワインダで巻き戻しながら、規定の巾および長さに断裁して、ワインダで再び巻き取って複数の断裁用巻取紙に加工する。断裁設備は、複数の断裁用巻取紙を巻き戻しながら、規定のサイズに断裁して平判紙に加工する。
【０００３】
特許文献１には、帯状に重ねた状態の断裁用巻取紙をスリッタやターニングナイフで断裁して平判紙に加工する設備が開示されている。
【０００４】
図１は、ワインダ設備で発生した断裁用巻取紙をカット紙に加工する断裁装置の概念図である。断裁用巻取紙をＰＰＣ（Ｐｌａｉｎ  Ｐａｐｅｒ  Ｃｏｐｉｅｒ）用紙のようなＡ４サイズ、Ａ３サイズなどのカット紙に仕上げる場合、断裁装置は、複数（例えば、５本や１０本）の断裁用巻取紙１１〜１５を巻き戻しつつ帯状に重ね、重ねた断裁用巻取紙１０を、スリッタ１６で流れ方向に断裁し、ターニングナイフ１７で巾方向に断裁する。断裁された紙（カット紙）は、ａ〜ｆにそれぞれ所定枚数（例えば、５００枚）の紙束として積み重なった後、搬送方向へ搬送される。
【先行技術文献】
【特許文献】
【０００５】
【特許文献１】特開２００２−３０２３２３号公報
【発明の概要】
【発明が解決しようとする課題】
【０００６】
ところで、抄紙設備で抄かれた紙の紙厚にはばらつきがある。そのため、従来の断裁設備では、ワインダで発生した断裁用巻取紙の直径を人手で実測し、同じ巻長でも紙厚が異なれば直径が異なることを利用して、直径の大きい断裁用巻取紙と、直径の小さい断裁用巻取紙とを組み合わせて断裁することで、断裁されたシートの紙厚の均等化を図っていた。
【０００７】
しかしながら、この方式では、（ａ）１本の断裁用巻取紙において巻始めから巻終りまで同じ紙厚であるという保証はない点、（ｂ）紙厚を直径で代用するため、断裁用巻取紙によって巻硬さが異なっていると直径と紙厚の関係が一定とならない点から、単に直径だけの測定では正確な紙厚が算出できないという問題があった。このため、この方式では、断裁したＰＰＣ用紙を包装し、箱詰めする際に箱の高さよりもＰＰＣ用紙を積んだ高さの方が大きくなることがあり、箱の蓋を途中で折らなければ、閉めることができない場合があった。これは、箱詰めできない状態であり、結果的に商品として提供できず、歩留りを下げる結果となっていた。
【０００８】
この発明は、上記のような課題を解決するためになされたものであり、複数の断裁用巻取紙を重ねた状態で断裁する断裁装置により加工される紙束の厚さが均等になるように、複数の断裁用巻取紙の組合せを決定できる断裁用巻取紙制御装置を提供することを目的とする。
【課題を解決するための手段】
【０００９】
この発明は、上記の目的を達成するため、複数の断裁用巻取紙を巻き戻しつつ重ねた状態で断裁する断裁装置にセットされる前記複数の断裁用巻取紙の組合せを決定する断裁用巻取紙制御装置であって、
ワインダ設備により前記複数の断裁用巻取紙を発生させる際に、各断裁用巻取紙の巻長前半部の紙厚測定値および巻長後半部の紙厚測定値と、各断裁用巻取紙の識別子とを紐付けたデータ群を記録するワインダ実績管理部と、
前記データ群から、巻長前半部よりも巻長後半部の紙厚測定値が大きい断裁用巻取紙と、巻長前半部よりも巻長後半部の紙厚測定値が小さい断裁用巻取紙との組合せを、前記断裁装置にセットする断裁用巻取紙の組合せとして決定する断裁用巻取紙組合せ部と、を備えることを特徴とする。
【００１０】
好ましくは、前記断裁用巻取紙組合せ部は、巻長前半部よりも巻長後半部の紙厚測定値が大きい場合に単調増加、巻長前半部よりも巻長後半部の紙厚測定値が小さい場合に単調減少とする場合に、前記データ群を複数のグループ、
Ａ：単調増加かつ、紙厚測定値の最小値＞紙厚設定値＋α（αは許容誤差、α＞０）、
Ｂ：単調減少かつ、紙厚測定値の最小値＞紙厚設定値＋α、
Ｃ：単調増加かつ、紙厚測定値の最大値＜紙厚設定値−α、
Ｄ：単調減少かつ、紙厚測定値の最大値＜紙厚設定値−α、
Ｅ：前記Ａ、Ｂ、Ｃ、Ｄ以外、
に分類し、各グループの断裁用巻取紙を１本ずつ選択して、前記断裁装置にセットする断裁用巻取紙の組合せを決定すること、を特徴とする。
【００１１】
さらに好ましくは、前記断裁用巻取紙組合せ部は、
（ａ）前記ＡとＤの組合せに関して、巻長前半部の紙厚測定値の合計値および巻長後半部の紙厚測定値の合計値の両方が紙厚設定値×２±β（βは許容誤差）以内、
（ｂ）前記ＢとＣの組合せに関して、巻長前半部の紙厚測定値の合計値および巻長後半部の紙厚測定値の合計値の両方が紙厚設定値×２±β以内、かつ、
（ｃ）前記Ａ〜Ｅの組合せに関して、巻長前半部の紙厚測定値の合計値および巻長後半部の紙厚測定値の合計値の両方が紙厚設定値×５±γ（γは許容誤差）以内、
となる組合せを、前記断裁装置にセットする断裁用巻取紙の組合せとして決定すること、を特徴とする。
【発明の効果】
【００１２】
この発明によれば、１本の断裁用巻取紙の前半と後半で紙厚が異なる場合であっても、単調増加傾向にある断裁用巻取紙と単調減少傾向にある断裁用巻取紙とを組合せて、紙厚を均等化することができる。複数の断裁用巻取紙を重ねた状態で断裁する断裁装置に、この断裁用巻取紙の組合せをセットすることで、加工される紙束の厚さが均等になる。その結果、箱詰めする紙束の高さを製品の許容範囲内にでき、箱詰めできない製品を削減し、製品歩留まりの向上が可能となる。
【図面の簡単な説明】
【００１３】
【図１】ワインダで発生した断裁用巻取紙をカット紙に加工する断裁装置の概念図である。
【図２】抄紙設備の下流部を説明するための概念図である。
【図３】断裁用巻取紙制御装置３０が有する機能の一部について説明するためのブロック図である。
【図４】実施の形態１に係る抄紙設備に設けられた紙厚測定装置２４で測定される紙厚測定値について説明するための図である。
【図５】リール巻取紙２３の巻終り位置からアンワインダに巻き戻されつつ断裁されて発生する複数の断裁用巻取紙の一例を示す概念図である。
【図６】Ａ〜Ｅグループに分類される断裁用巻取紙の例を示す概念図である。
【図７】実施の形態１における断裁用巻取紙組合せ部３３が実行する処理ルーチンのフローチャートである。
【図８】実施の形態１における断裁用巻取紙組合せ部３３が実行する処理ルーチンのフローチャートである。
【図９】実施の形態１における断裁用巻取紙組合せ部３３が実行する処理ルーチンのフローチャートである。
【図１０】実施の形態１における断裁用巻取紙組合せ部３３が実行する処理ルーチンのフローチャートである。
【図１１】断裁用巻取紙を分類するグループの変形例（掛け本数が３）を示す概念図である。
【図１２】断裁用巻取紙制御装置３０が有する処理回路のハードウェア構成例を示す図である。
【発明を実施するための形態】
【００１４】
以下、図面を参照して本発明の実施の形態について詳細に説明する。尚、各図において共通する要素には、同一の符号を付して重複する説明を省略する。
【００１５】
実施の形態１．
＜システム構成＞
平判紙を製造する製紙工場は、抄紙設備、ワインダ設備、断裁設備等を備える。
【００１６】
図２は、抄紙設備の下流部を説明するための概念図である。抄紙設備は、ワイヤパート、プレスパート、ドライヤパート２０、カレンダパート２１等を経て、連続的に抄いた紙をリール２２に巻き取ってリール巻取紙２３に加工する。カレンダパート２１とリール２２との間には、紙厚測定装置２４が設けられている。紙厚測定装置２４は、巾方向に移動可能であり、坪量や密度等に基づいて、リール２２に巻き取られる紙の紙厚を測定する。
【００１７】
ワインダ設備は、アンワインダでリール巻取紙２３を巻き戻しながら、規定の巾や長さに断裁して、ワインダで再び巻き取って断裁用巻取紙に加工する。１本のリール巻取紙から複数の断裁用巻取紙が発生する。
【００１８】
断裁設備は、断裁用巻取紙を巻き戻しながら、規定のサイズに断裁して平判紙を生成する。本実施の形態における断裁設備は、上述した図１と同様に、複数の断裁用巻取紙を巻き戻しつつ重ねた状態で断裁する。具体的には、複数（図１では５本）の断裁用巻取紙１１〜１５を巻き戻しつつ帯状に重ね、重ねた断裁用巻取紙１０を、スリッタ１６で流れ方向に断裁し、ターニングナイフ１７で巾方向に断裁して、平判紙（カット紙）に加工する。
【００１９】
＜断裁用巻取紙制御装置＞
図３は、断裁用巻取紙制御装置３０が有する機能の一部について説明するためのブロック図である。断裁用巻取紙制御装置３０は、断裁装置にセットされる複数の断裁用巻取紙の組合せを決定する機能を有する。
【００２０】
断裁用巻取紙制御装置３０は、抄紙設備に設けられた紙厚測定装置２４に接続されている。また、断裁用巻取紙制御装置３０は、紙厚測定値受信部３１、ワインダ実績管理部３２、断裁用巻取紙組合せ部３３、記憶部３４を備える。なお、断裁用巻取紙制御装置３０の構成に紙厚測定装置２４を含めても良い。
【００２１】
図４は、実施の形態１に係る抄紙設備に設けられた紙厚測定装置２４で測定される紙厚測定値について説明するための図である。紙厚測定装置２４は、抄紙設備の下流に設けられるワインダ装置で卸される断裁用巻取紙の巻長の半分の距離、例えば、断裁用巻取紙の巻長が２０，０００ｍとすると、流れ方向１０，０００ｍ単位でリール巻取紙２３の紙厚を測定する。
【００２２】
＜＜紙厚測定値受信部＞＞
紙厚測定値受信部３１は、紙厚測定装置２４から送信されたリール巻取紙２３の各測定位置における紙厚測定値を受信し、記憶部３４に記憶する。紙厚測定値受信部３１は、受信した紙厚測定値とリールＮｏ．をキーとして、１０，０００ｍ単位に測定した紙厚測定値を記憶部３４に格納する。例えば、図４において、Ｘ１＝５，０００ｍ、Ｘ２＝１５，０００ｍ、Ｘ３＝２５，０００ｍ、Ｘ４＝３５，０００ｍ、Ｘ５＝４５，０００ｍである。
【００２３】
＜＜ワインダ実績管理部＞＞
ワインダ実績管理部３２は、各断裁用巻取紙の巻長前半部の紙厚測定値および巻長後半部の紙厚測定値と、各断裁用巻取紙の識別子とを紐付けたデータ群を記憶部３４に記録する。本明細書において、巻長前半部は、断裁用巻取紙の周面側、すなわち断裁装置で前半に巻き出される部分を意味し、巻長後半部は、断裁用巻取紙の軸心側、すなわち断裁装置で後半に巻き出される部分を意味する。
【００２４】
具体的に説明する。ワインダ実績管理部３２又は記憶部３４には、ワインダ設備でリール巻取紙をどのような巾、巻長で卸すのかを示す指図データが予め保存されている。指図データは、巾、巻長、丁取数、卸数、桝位置、銘柄、坪量等の取合せ計画情報である。
【００２５】
ワインダオペレータは、指図データの中からワインダ設備で卸す断裁用巻取紙の巾、巻長、丁取数等を選択する。次にワインダオペレータは、卸すべきリール巻取紙２３を選択し、ワインダ設備を運転する。そして、断裁用巻取紙が発生した時、ワインダ実績管理部３２は、発生した断裁用巻取紙１本に対し、識別子としてユニークな巻取Ｎｏ．を割り付ける。その際、ワインダ実績管理部３２は、発生した断裁用巻取紙に対し、リールの巻終り良品終了点（図５）から順に２つの紙厚測定値を紐づける。
【００２６】
図５は、リール巻取紙２３の巻終り位置からアンワインダに巻き戻されつつ断裁されて発生する複数の断裁用巻取紙の一例を示す概念図である。図５に示す巻取Ｎｏ．ａ１、ｂ１、ｃ１の断裁用巻取紙は、同じ卸しであり、巻取Ｎｏ．ａ１、ａ２、ａ３、ａ４の断裁用巻取紙は、同じ桝位置である。上述したように断裁用巻取紙の巻長の半分の距離毎に紙厚が測定されているため、発生した１つの断裁用巻取紙に対して２つの紙厚測定値を紐付けることができる。具体的には、図５の巻取Ｎｏ．ａ１、ｂ１、ｃ１に対して、紙厚測定値受信８および紙厚測定値受信７が紐付く。
【００２７】
ワインダ実績管理部３２は、このように、各断裁用巻取紙の巻取Ｎｏ．に２つの紙厚測定値、巾、巻長、銘柄、坪量、桝位置などの情報を紐付けたデータを、記憶部３４に記憶する。その結果、複数の各断裁用巻取紙のそれぞれに２つの紙厚測定値を紐付けたデータ群が記憶部３４に記憶される。
【００２８】
＜＜断裁用巻取紙組合せ部＞＞
断裁用巻取紙組合せ部３３は、記憶部３４に記憶されたデータ群から、巻長前半部よりも巻長後半部の紙厚測定値が大きい断裁用巻取紙と、巻長前半部よりも巻長後半部の紙厚測定値が小さい断裁用巻取紙との組合せを、断裁装置にセットする断裁用巻取紙の組合せとして決定する。
【００２９】
具体的に説明する。オペレータは、銘柄、坪量、桝位置、巾、巻長が同じ断裁用巻取紙を、断裁装置に５本掛け（掛け本数が５）で、５本まとめて断裁する断裁計画を選択したとする。以下の説明は、５本掛けの例である。
【００３０】
断裁用巻取紙組合せ部３３は、巻長前半部よりも巻長後半部の紙厚測定値が大きい（好ましくは、巻長前半部の紙厚測定値−巻長後半部の紙厚測定値＞δ（δ＞０））場合に単調増加、巻長前半部よりも巻長後半部の紙厚測定値が小さい（好ましくは、巻長前半部の紙厚測定値−巻長後半部の紙厚測定値＜−δ）場合に単調減少、巻長前半部の紙厚測定値と巻長後半部の紙厚測定値のうち大きい方を最大値、小さい方を最小値と称する場合に、データ群に含まれる銘柄、坪量、桝位置、巾、巻長が同じ断裁用巻取紙のデータを５つのグループ、
Ａ：単調増加かつ、紙厚測定値の最小値＞紙厚設定値＋α（αは許容誤差、α＞０）、
Ｂ：単調減少かつ、紙厚測定値の最小値＞紙厚設定値＋α、
Ｃ：単調増加かつ、紙厚測定値の最大値＜紙厚設定値−α、
Ｄ：単調減少かつ、紙厚測定値の最大値＜紙厚設定値−α、
Ｅ：Ａ、Ｂ、Ｃ、Ｄ以外、
に分類する。ここで、紙厚設定値は、カット紙１枚の紙厚の目標値（製品仕様）であり、αは定数であり、一例として紙厚設定値の数％（例えば２％）以内の値である。
【００３１】
その後、断裁用巻取紙組合せ部３３は、各グループの断裁用巻取紙を１本ずつ選択して、断裁装置にセットする断裁用巻取紙の組合せを決定する。ここで、Ａ〜Ｅの組合せに関して、巻長前半部の紙厚測定値の合計値および巻長後半部の紙厚測定値の合計値の両方が紙厚設定値×５±γ（γは許容誤差）以内となる組合せを、断裁装置にセットする断裁用巻取紙の組合せとして決定する。γは定数であり、一例として紙厚設定値の数％（例えば２％）以内の値である。また、α、γは同値でも良いし、α＜γとしても良い。
【００３２】
図６は、Ａ〜Ｅグループに分類される断裁用巻取紙の例を示す概念図である。図６に示すように、ＡとＤ、ＢとＣを組合せることで、紙厚を均等にすることができる。さらに好ましくは、ＡとＤ、ＢとＣの組合せに関して次の条件を加えて、断裁装置にセットする断裁用巻取紙の組合せとして決定する。
【００３３】
すなわち、断裁用巻取紙組合せ部３３は、
（ａ）ＡとＤの組合せに関して、巻長前半部の紙厚測定値の合計値および巻長後半部の紙厚測定値の合計値の両方が紙厚設定値×２±β（βは許容誤差）以内、
（ｂ）ＢとＣの組合せに関して、巻長前半部の紙厚測定値の合計値および巻長後半部の紙厚測定値の合計値の両方が紙厚設定値×２±β以内、かつ、
（ｃ）Ａ〜Ｅの組合せに関して、巻長前半部の紙厚測定値の合計値および巻長後半部の紙厚測定値の合計値の両方が紙厚設定値×５±γ（γは許容誤差）以内、
となる組合せを、断裁装置にセットする断裁用巻取紙の組合せとして決定する。ここで、β、γは定数であり、一例として紙厚設定値の数％（例えば２％）以内の値である。また、α、β、γは同値でも良いし、α＜β＜γとしても良い。
【００３４】
この条件を満たす断裁用巻取紙の組合せの抽出を繰り返して、掛け本数となる５本単位での断裁用巻取紙の組合せを複数決定し、オペレータに通知する。オペレータはこれらの組合せに従って実際の断裁装置に断裁用巻取紙をセットする。
【００３５】
＜フローチャート＞
図７〜図１０は、上述の動作を実現するために、実施の形態１における断裁用巻取紙組合せ部３３が実行する処理ルーチンのフローチャートである。
【００３６】
図７を参照して、ＡグループとＤグループの断裁用巻取紙を組合せる処理について説明する。
【００３７】
図７に示すルーチンでは、まずステップＳ１００において、断裁用巻取紙組合せ部３３は、記憶部３４から同じ桝位置についてのデータ群を読み込む。断裁用巻取紙組合せ部３３は、Ａグループの断裁用巻取紙について、紙厚測定値の最大値−紙厚測定値の最小値の大きい順にＡ１，Ａ２，・・・Ａｉ，・・・，Ａｍとする。ｉの初期値は１とする。ｍはＡグループの要素数である。
【００３８】
次に、ステップＳ１０５において、断裁用巻取紙組合せ部３３は、Ｄグループの断裁用巻取紙について、紙厚測定値の最大値−紙厚測定値の最小値の大きい順にＤ１，Ｄ２，・・・Ｄｊ，・・・，Ｄｎとする。ｊの初期値は１とする。ｎはＤグループの要素数である。
【００３９】
次に、ステップＳ１１０において、断裁用巻取紙組合せ部３３は、ＡグループからＡｉを選択する。ｉの初期値は１であるため、最初はＡ１が選択される。
【００４０】
次に、ステップＳ１１５において、断裁用巻取紙組合せ部３３は、ＤグループからＤｊを選択する。ｊの初期値は１であるため、最初はＤ１が選択される。
【００４１】
次に、ステップＳ１２０において、断裁用巻取紙組合せ部３３は、ＡｉとＤｊの組合せに関して、巻長前半部の紙厚測定値を合計して前半紙厚合計値を算出する。同様に、巻長後半部の紙厚測定値を合計して後半紙厚合計値を算出する。
【００４２】
次に、ステップＳ１２５において、断裁用巻取紙組合せ部３３は、全ての紙厚合計値が紙厚設定値×２±β以内であるか否かを判定する。判定条件が成立する場合、ＡｉとＤｊの組合せは適切であり、ステップＳ１３０の処理に進む。一方、判定条件が成立しない場合、ＡｉとＤｊの組合せは不適切であり、ステップＳ１３５の処理に進む。
【００４３】
ステップＳ１３０において、断裁用巻取紙組合せ部３３は、ＡｉとＤｊとの組合せを集合ＡＤの要素として記憶部３４に格納する。ただし、集合ＡＤの要素にＤｊが重複しないことを条件とする。
【００４４】
ステップＳ１３５において、断裁用巻取紙組合せ部３３は、現在のｊに１を加算して新たなｊとする。ステップＳ１４０において、断裁用巻取紙組合せ部３３は、新たなｊがｎより大きいか否かを判定する。判定条件が成立する場合、Ａｉと組合せうるＤｊが存在せず、ステップＳ１４５において、Ａｉは組合せ無しデータとして記憶部３４に格納される。一方、判定条件が成立しない場合、ステップＳ１１５から処理が再開される。ステップＳ１１５では、新たなｊに応じたＤｊが選択される。ステップＳ１２５またはステップＳ１４０における判定条件が成立するまで、新たなＤｊに基づく以降の処理が実行される。
【００４５】
ステップＳ１３０またはステップＳ１４５の処理後、ステップＳ１５０において、断裁用巻取紙組合せ部３３は、現在のｉに１を加算して新たなｉとする。ステップＳ１５５において、断裁用巻取紙組合せ部３３は、新たなｉがｍより大きいか否かを判定する。判定条件が成立する場合、Ａグループのすべての断裁用巻取紙についてＤグループの断裁用巻取紙との組合せ確認は終了し、図７に示す処理ルーチンは終了される。一方、判定条件が成立しない場合、ステップＳ１１０から処理が再開される。ステップＳ１１０では、新たなｉに応じたＡｉが選択される。ステップＳ１５５における判定条件が成立するまで、新たなＡｉに基づく以降の処理が実行される。その後、図７に示す処理ルーチンは終了されると、図８に示す処理ルーチンが開始される。
【００４６】
図８を参照して、ＢグループとＣグループの断裁用巻取紙を組合せる処理について説明する。
【００４７】
図８に示すルーチンでは、まずステップＳ２００において、断裁用巻取紙組合せ部３３は、記憶部３４から同じ桝位置についてのデータ群を読み込む。断裁用巻取紙組合せ部３３は、Ｂグループの断裁用巻取紙について、紙厚測定値の最大値−紙厚測定値の最小値の大きい順にＢ１，Ｂ２，・・・Ｂｉ，・・・，Ｂｍとする。ｉの初期値は１とする。ｍはＢグループの要素数である。
【００４８】
次に、ステップＳ２０５において、断裁用巻取紙組合せ部３３は、Ｃグループの断裁用巻取紙について、紙厚測定値の最大値−紙厚測定値の最小値の大きい順にＣ１，Ｃ２，・・・Ｃｊ，・・・，Ｃｎとする。ｊの初期値は１とする。ｎはＣグループの要素数である。
【００４９】
次に、ステップＳ２１０において、断裁用巻取紙組合せ部３３は、ＢグループからＢｉを選択する。ｉの初期値は１であるため、最初はＢ１が選択される。
【００５０】
次に、ステップＳ２１５において、断裁用巻取紙組合せ部３３は、ＣグループからＣｊを選択する。ｊの初期値は１であるため、最初はＣ１が選択される。
【００５１】
次に、ステップＳ２２０において、断裁用巻取紙組合せ部３３は、ＢｉとＣｊの組合せに関して、巻長前半部の紙厚測定値を合計して前半紙厚合計値を算出する。同様に、巻長後半部の紙厚測定値を合計して後半紙厚合計値を算出する。
【００５２】
次に、ステップＳ２２５において、断裁用巻取紙組合せ部３３は、全ての紙厚合計値が紙厚設定値×２±β以内であるか否かを判定する。判定条件が成立する場合、ＢｉとＣｊの組合せは適切であり、ステップＳ２３０の処理に進む。一方、判定条件が成立しない場合、ＢｉとＣｊの組合せは不適切であり、ステップＳ２３５の処理に進む。
【００５３】
ステップＳ２３０において、断裁用巻取紙組合せ部３３は、ＢｉとＣｊとの組合せを集合ＢＣの要素として記憶部３４に格納する。ただし、集合ＢＣの要素にＣｊが重複しないことを条件とする。
【００５４】
ステップＳ２３５において、断裁用巻取紙組合せ部３３は、現在のｊに１を加算して新たなｊとする。ステップＳ２４０において、断裁用巻取紙組合せ部３３は、新たなｊがｎより大きいか否かを判定する。判定条件が成立する場合、Ｂｉと組合せうるＣｊが存在せず、ステップＳ２４５において、Ｂｉは組合せ無しデータとして記憶部３４に格納される。一方、判定条件が成立しない場合、ステップＳ２１５から処理が再開される。ステップＳ２１５では、新たなｊに応じたＣｊが選択される。ステップＳ２２５またはステップＳ２４０における判定条件が成立するまで、新たなＣｊに基づく以降の処理が実行される。
【００５５】
ステップＳ２３０またはステップＳ２４５の処理後、ステップＳ２５０において、断裁用巻取紙組合せ部３３は、現在のｉに１を加算して新たなｉとする。ステップＳ２５５において、断裁用巻取紙組合せ部３３は、新たなｉがｍより大きいか否かを判定する。判定条件が成立する場合、Ｂグループのすべての断裁用巻取紙についてＣグループの断裁用巻取紙との組合せ確認は終了し、図８に示す処理ルーチンは終了される。一方、判定条件が成立しない場合、ステップＳ２１０から処理が再開される。ステップＳ２１０では、新たなｉに応じたＢｉが選択される。ステップＳ２５５における判定条件が成立するまで、新たなＢｉに基づく以降の処理が実行される。その後、図８に示す処理ルーチンは終了されると、図９に示す処理ルーチンが開始される。
【００５６】
図９を参照して、集合ＡＤと集合ＢＣの要素を組合せる処理について説明する。上述した図７、図８により集められた集合ＡＤと集合ＢＣの要素は、同じ桝位置における断裁用巻取紙の組合せである。
【００５７】
図９に示すルーチンでは、まずステップＳ３００において、断裁用巻取紙組合せ部３３は、記憶部３４から集合ＡＤを読み込む。断裁用巻取紙組合せ部３３は、集合ＡＤの各要素を順に、ＡＤ１，ＡＤ２，・・・，ＡＤｉ，・・・，ＡＤｍとする。ｉの初期値は１とする。ｍは集合ＡＤの要素数である。
【００５８】
次に、ステップＳ３０５において、断裁用巻取紙組合せ部３３は、記憶部３４から集合ＢＣを読み込む。断裁用巻取紙組合せ部３３は、集合ＢＣの各要素を順に、ＢＣ１，ＢＣ２，・・・，ＢＣｊ，・・・，ＢＣｍとする。ｊの初期値は１とする。ｎは集合ＢＣの要素数である。
【００５９】
次に、ステップＳ３１０において、断裁用巻取紙組合せ部３３は、集合ＡＤからＡＤｉを選択する。ｉの初期値は１であるため、最初はＡＤ１が選択される。
【００６０】
次に、ステップＳ３１５において、断裁用巻取紙組合せ部３３は、集合ＢＣからＢＣｊを選択する。ｊの初期値は１であるため、最初はＢＣ１が選択される。
【００６１】
次に、ステップＳ３２０において、断裁用巻取紙組合せ部３３は、ＡＤｉとＢＣｊの組合せに関して、巻長前半部または巻長後半部のいずれかの紙厚測定値を合計して紙厚合計値を算出する。算出された紙厚合計値は、ＡＤｉとＢＣｊとの組合せ毎に記憶部３４に一時格納される（ステップＳ３２５）。
【００６２】
次に、ステップＳ３３０において、断裁用巻取紙組合せ部３３は、現在のｊに１を加算して新たなｊとする。ステップＳ３３５において、断裁用巻取紙組合せ部３３は、新たなｊがｎより大きいか否かを判定する。判定条件が成立する場合、所定のＡＤｉと集合ＢＣの各要素との組合せについて紙厚合計値がされたため、ステップＳ３４０の処理に進む。一方、判定条件が成立しない場合、ステップＳ３１０から処理が再開される。ステップＳ３１５では、新たなｊに応じたＢＣｊが選択される。ステップＳ３３５における判定条件が成立するまで、新たなＢＣｊに基づく以降の処理が実行される。
【００６３】
ステップＳ３４０において、断裁用巻取紙組合せ部３３は、記憶部３４に一時格納された所定のＡＤｉと集合ＢＣの各要素との組合せから紙厚合計値が最小となる組合せを選択し、集合ＡＤＢＣの要素として記憶部３４に格納する。ただし、重複を避けるため、既に集合ＡＤＢＣに含まれている集合ＢＣの要素は、紙厚合計値が最小となる組合せの選択対象から除外する。
【００６４】
次に、ステップＳ３４５において、断裁用巻取紙組合せ部３３は、現在のｉに１を加算して新たなｉとする。ステップＳ３５０において、断裁用巻取紙組合せ部３３は、新たなｉがｍより大きいか否かを判定する。判定条件が成立する場合、集合ＡＤのすべての要素について集合ＢＣの各要素との組合せ確認は終了し、図９に示す処理ルーチンは終了される。一方、判定条件が成立しない場合、ステップＳ３１０から処理が再開される。ステップＳ３１０では、新たなｉに応じたＡＤｉが選択される。ステップＳ３５０における判定条件が成立するまで、新たなＡＤｉに基づく以降の処理が実行される。その後、図９に示す処理ルーチンは終了されると、図１０に示す処理ルーチンが開始される。
【００６５】
図１０を参照して、集合ＡＤＢＣとＥグループの要素を組合せる処理について説明する。上述したように、集合ＡＤＢＣとＥグループの要素は同じ桝位置におけるものである。
【００６６】
図１０に示すルーチンでは、まずステップＳ４００において、断裁用巻取紙組合せ部３３は、記憶部３４から集合ＡＤＢＣを読み込む。断裁用巻取紙組合せ部３３は、集合ＡＤＢＣの各要素を順に、ＡＤＢＣ１，ＡＤＢＣ２，・・・，ＡＤＢＣｉ，・・・，ＡＤＢＣｍとする。ｉの初期値は１とする。ｍは集合ＡＤＢＣの要素数である。
【００６７】
次に、ステップＳ４０５において、断裁用巻取紙組合せ部３３は、Ｅグループの要素を順にＥ１，Ｅ２，・・・Ｅｊ，・・・，Ｅｎとする。ｊの初期値は１とする。ｎはＥグループの要素数である。
【００６８】
次に、ステップＳ４１０において、断裁用巻取紙組合せ部３３は、集合ＡＤＢＣからＡＤＢＣｉを選択する。ｉの初期値は１であるため、最初はＡＤＢＣ１が選択される。
【００６９】
次に、ステップＳ４１５において、断裁用巻取紙組合せ部３３は、ＥグループからＥｊを選択する。ｊの初期値は１であるため、最初はＥ１が選択される。
【００７０】
次にステップＳ４２０において、断裁用巻取紙組合せ部３３は、ＡＤＢＣｉとＥｊの組合せに関して、巻長前半部の紙厚測定値を合計して前半紙厚合計値を算出する。同様に、巻長後半部の紙厚測定値を合計して後半紙厚合計値を算出する。
【００７１】
次に、ステップＳ４２５において、断裁用巻取紙組合せ部３３は、全ての紙厚合計値が紙厚設定値×５±γ以内であるか否かを判定する。判定条件が成立する場合、ＡＤＢＣｉとＥｊの組合せは適切であり、ステップＳ４３０の処理に進む。一方、判定条件が成立しない場合、ＡＤＢＣｉとＥｊの組合せは不適切であり、ステップＳ４３５の処理に進む。
【００７２】
ステップＳ４３０において、断裁用巻取紙組合せ部３３は、ＡＤＢＣｉとＥｊとの組合せを集合ＡＤＢＣＥの要素として記憶部３４に格納する。ただし、集合ＡＤＢＣＥの要素にＥｊが重複しないことを条件とする。
【００７３】
ステップＳ４３５において、断裁用巻取紙組合せ部３３は、現在のｊに１を加算して新たなｊとする。ステップＳ４４０において、断裁用巻取紙組合せ部３３は、新たなｊがｎより大きいか否かを判定する。判定条件が成立する場合、ＡＤＢＣｉと組合せうるＥｊが存在せず、ステップＳ４４５において、ＡＤＢＣｉは組合せ無しデータとして記憶部３４に格納される。一方、判定条件が成立しない場合、ステップＳ４１５から処理が再開される。ステップＳ４１５では、新たなｊに応じたＥｊが選択される。ステップＳ４２５またはステップＳ４４０における判定条件が成立するまで、新たなＣｊに基づく以降の処理が実行される。
【００７４】
ステップＳ４３０またはステップＳ４４５の処理後、ステップＳ４５０において、断裁用巻取紙組合せ部３３は、現在のｉに１を加算して新たなｉとする。ステップＳ４５５において、断裁用巻取紙組合せ部３３は、新たなｉがｍより大きいか否かを判定する。判定条件が成立する場合、集合ＡＤＢＣのすべての要素についてＥグループの要素との組合せ確認は終了し、図１０に示す処理ルーチンは終了される。一方、判定条件が成立しない場合、ステップＳ４１０から処理が再開される。ステップＳ４１０では、新たなｉに応じたＡＤＢＣｉが選択される。ステップＳ４５５における判定条件が成立するまで、新たなＢｉに基づく以降の処理が実行される。その後、断裁用巻取紙組合せ部３３は、５本掛け用の断裁用巻取紙の組合せの集合ＡＤＢＣＥを出力する。
【００７５】
＜効果＞
以上説明したように、本実施形態に係る断裁用巻取紙制御装置３０によれば、１本の断裁用巻取紙につき前半と後半の２点で測定された紙厚測定値に基づいて、単調増加傾向にある断裁用巻取紙と単調減少傾向にある断裁用巻取紙とを組合せて、紙厚を均等化することができる。複数の断裁用巻取紙を重ねた状態で断裁する断裁装置に、この断裁用巻取紙の組合せをセットすることで、加工される紙束の厚さが均等になる。その結果、箱詰めする紙束の高さを製品の許容範囲内にでき、箱詰めできない製品を削減し、製品歩留まりの向上が可能となる。
【００７６】
＜変形例＞
ところで、上述した実施の形態１のシステムにおいては、データ群から同じ桝位置の断裁用巻取紙のデータを用いることとしているが、これに限定されるものではない。
【００７７】
また、上述した実施の形態１のシステムにおいては、断裁用巻取紙をＡ〜Ｅグループに分類することとしているが、図１１のようなグループを用いても良い。図１１は、断裁用巻取紙を分類するグループの変形例（掛け本数が３）を示す概念図である。この場合、断裁用巻取紙組合せ部３３は、巻長前半部よりも巻長後半部の紙厚測定値が大きい場合に単調増加、巻長前半部よりも巻長後半部の紙厚測定値が小さい場合に単調減少とする場合に、データ群を複数のグループ、
Ｆ）単調減少かつ、紙厚測定値の最大値＞紙厚設定値＋α（αは許容誤差、α＞０）かつ、紙厚測定値の最小値＜紙厚測定値−α、
Ｇ）単調増加かつ、紙厚測定値の最大値＞紙厚設定値＋αかつ、紙厚測定値の最小値＜紙厚測定値−α
Ｈ）前記Ｆ、Ｇ以外、
に分類し、各グループの断裁用巻取紙を１本ずつ選択して、断裁装置にセットする断裁用巻取紙の組合せを決定する。ここで、Ｆ〜Ｈの組合せに関して、巻長前半部の紙厚測定値の合計値および巻長後半部の紙厚測定値の合計値の両方が紙厚設定値×３±γ（γは許容誤差）以内となる組合せを、断裁装置にセットする断裁用巻取紙の組合せとして決定する。
【００７８】
＜ハードウェア構成例＞
図１２は、断裁用巻取紙制御装置３０が有する処理回路のハードウェア構成例を示す図である。断裁用巻取紙制御装置３０内の各部は、装置が有する機能の一部を示し、各機能は処理回路により実現される。例えば、処理回路は、少なくとも１つのプロセッサ５１と少なくとも１つのメモリ５２とを備える。例えば、処理回路は、少なくとも１つの専用のハードウェア５３を備える。
【００７９】
処理回路がプロセッサ５１とメモリ５２とを備える場合、各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、メモリ５２に格納される。プロセッサ５１は、メモリ５２に記憶されたプログラムを読み出して実行することにより、各機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、メモリ５２は、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００８０】
処理回路が専用のハードウェア５３を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、各機能は、それぞれ処理回路で実現される。例えば、各機能は、まとめて処理回路で実現される。
【００８１】
また、各機能について、一部を専用のハードウェア５３で実現し、他部をソフトウェア又はファームウェアで実現してもよい。
【００８２】
このように、処理回路は、ハードウェア５３、ソフトウェア、ファームウェア、又はこれらの組み合わせによって各機能を実現する。なお、上述したハードウェア構成は、以下の実施の形態でも同様である。
【符号の説明】
【００８３】
１０  重ねた断裁用巻取紙
１１−１５  断裁用巻取紙（５本掛け）
１６  スリッタ
１７  ターニングナイフ
２０  ドライヤパート
２１  カレンダパート
２２  リール
２３  リール巻取紙
２４  紙厚測定装置
３０  断裁用巻取紙制御装置
３１  紙厚測定値受信部
３２  ワインダ実績管理部
３３  断裁用巻取紙組合せ部
３４  記憶部
５１  プロセッサ
５２  メモリ
５３  ハードウェア
【図１】
2018030669.tif 000003
【図２】
2018030669.tif 000004
【図３】
2018030669.tif 000005
【図４】
2018030669.tif 000006
【図５】
2018030669.tif 000007
【図６】
2018030669.tif 000008
【図７】
2018030669.tif 000009
【図８】
2018030669.tif 000010
【図９】
2018030669.tif 000011
【図１０】
2018030669.tif 000012
【図１１】
2018030669.tif 000013
【図１２】
2018030669.tif 000014